(57)【要約】【課題】高周波回路の高密度レイアウトを可能とする高周波遮断回路を得ること。【解決手段】高周波回路を伝搬する高周波信号の基本波成分において１／２波長の長さを有し、両端部を入力端１，２，９，１０として平行に配設された一対の伝送線路３，４で形成された結合線路３０と、基本波成分において１／４波長の長さを有し、各入力端１，２，９，１０のそれぞれに接続されて形成されたオープンスタブ５，６，７，８と、を備え、伝送線路３，４とオープンスタブ５，６，７，８との接合部前後において基本波成分および奇高調波成分の伝搬を抑制し、方向性結合器として作用する結合線路３０において基本波成分、奇高調波成分、および偶高調波成分の結合を抑制し、結合線路３０において対向する入力端１，２間および入力端９，１０間の基本波成分、偶高調波成分、および奇高調波成分の漏洩を防止する。【選択図】図１
2010245971.tif 000002
【特許請求の範囲】
【請求項１】
誘電体基板と、誘電体基板の下面に設けられた地導体と、誘電体基板の上面に設けられたマイクロストリップ線路導体とから構成される高周波回路の高周波遮断回路であって、
高周波回路を伝搬する高周波信号の基本波成分において１／２波長の長さを有し、両端部を入力端として平行に配設された一対の伝送線路で形成された結合線路と、
基本波成分において１／４波長の長さを有し、前記各入力端の一方および他方のそれぞれに接続されて形成されたオープンスタブと、
を備えたことを特徴とする高周波遮断回路。
【請求項２】
誘電体基板と、誘電体基板の下面に設けられた地導体と、誘電体基板の上面に設けられたマイクロストリップ線路導体とから構成される高周波回路の高周波遮断回路であって、
高周波回路を伝搬する高周波信号の基本波成分において３／４波長の長さを有し、両端部を入力端として平行に配設された一対の伝送線路で形成された結合線路と、
基本波成分において１／４波長の長さを有し、前記各入力端の一方および他方のそれぞれに接続されて形成された第１のオープンスタブと、
前記結合線路において前記各入力端から１／４波長の長さの位置の一方および他方のそれぞれに一端が接続され配設された固定抵抗と、
基本波成分において１／４波長の長さを有し、前記各固定抵抗の他端にそれぞれの一端が接続され配設された第２のオープンスタブと、
を備えたことを特徴とする高周波遮断回路。
【発明の詳細な説明】
【技術分野】
【０００１】
本発明は、マイクロ波回路、ミリ波回路等の高周波回路に用いられ、この高周波回路を伝搬する高周波信号を遮断する性質を示す高周波遮断回路に関する。
【背景技術】
【０００２】
マイクロ波回路、ミリ波回路等の高周波回路において、例えばＦＥＴ（Field Effect Transistor：電界効果トランジスタ）を用いた増幅器のドレインバイアス回路に高周波信号の基本波成分やその基本波の高調波成分が漏洩し、ゲートバイアス回路に結合すると、ドレインバイアス回路とゲートバイアス回路との間で帰還ループが形成され、ループ発振が発生して増幅器の不安定動作の要因となる虞がある。このため、ゲートバイアス回路やドレインバイアス回路などへの高周波信号の基本波成分や高調波成分の漏洩を防止する必要がある。
【０００３】
なお、マイクロ波回路、ミリ波回路等の高周波回路において、マイクロストリップ線路導体で形成された平行結合の帯域阻止フィルタの中心周波数を調整する技術を開示した文献として、下記特許文献１などが存在する。
【０００４】
この特許文献１では、信号の１／２波長の長さをもつ共振線路を中心で折り曲げ、端から１／４波長の長さの部分を主伝送路に平行に接近させることで容量性スタブとし、残りの１／４波長の長さの部分をオープンスタブとする帯域阻止フィルタにおいて、中心で折り曲げた部分にスリットを設け、そのスリットを導体板や導電性ペーストで埋めることで、共振線路の共振周波数を調整し、帯域阻止フィルタの中心周波数を調整する技術が開示されている。
【先行技術文献】
【特許文献】
【０００５】
【特許文献１】特開昭５３−１２８２４８号公報
【発明の概要】
【発明が解決しようとする課題】
【０００６】
しかしながら、上記特許文献１に示された技術では、中心周波数を高周波信号の基本波および複数の高調波に設定した複数の帯域阻止フィルタを構成する必要があり、回路規模が大きくなる、という問題があった。また、例えば増幅器のゲートバイアス回路およびドレインバイアス回路にそれぞれ適用した場合には、互いの帯域阻止フィルタの主伝送路を近接して配置すると、２つの主伝送路で結合線路が形成され、設定した周波数以外の帯域の高調波成分が結合し、ループ発振が発生する虞がある。このため、増幅器を安定して動作させるためには、互いの帯域阻止フィルタの主伝送路を離して配置しなければならず、回路面積が大きくなる、という問題があった。
【０００７】
本発明は、上記に鑑みてなされたものであって、高周波回路の高密度レイアウトを可能とする高周波遮断回路を得ることを目的とする。
【課題を解決するための手段】
【０００８】
上述した課題を解決し、目的を達成するために、本発明は、誘電体基板と、誘電体基板の下面に設けられた地導体と、誘電体基板の上面に設けられたマイクロストリップ線路導体とから構成される高周波回路の高周波遮断回路であって、高周波回路を伝搬する高周波信号の基本波成分において１／２波長の長さを有し、両端部を入力端として平行に配設された一対の伝送線路で形成された結合線路と、基本波成分において１／４波長の長さを有し、前記各入力端の一方および他方のそれぞれに接続されて形成されたオープンスタブと、を備えたことを特徴とする。
【発明の効果】
【０００９】
この発明によれば、基本波成分において１／２波長の長さの２つの伝送線路を平行して配置して結合線路を形成し、２つの伝送線路の両端部に、それぞれ基本波成分において１／４波長の長さのオープンスタブを接続して構成することにより、伝送線路とオープンスタブとの接合部前後において基本波成分および奇高調波成分の伝搬を抑制し、方向性結合器として作用する結合線路において基本波成分、奇高調波成分、および偶高調波成分の結合を抑制するようにしたので、結合線路において対向する入力端間の基本波成分、偶高調波成分、および奇高調波成分の漏洩を防止することができ、高周波回路の高密度レイアウトが可能となる、という効果を奏する。
【図面の簡単な説明】
【００１０】
【図１】図１は、実施の形態１にかかる高周波遮断回路の一例を示す図である。
【図２】図２は、実施の形態２にかかる高周波遮断回路の一例を示す図である。
【発明を実施するための形態】
【００１１】
以下に、本発明にかかる高周波遮断回路の実施の形態を図面に基づいて詳細に説明する。なお、この実施の形態によりこの発明が限定されるものではない。
【００１２】
実施の形態１．
マイクロ波回路、ミリ波回路等の高周波回路において、複数の高周波回路を近接して配置すると、高周波回路を伝搬する高周波信号の基本波成分（以下、単に「基本波成分」という）およびその高調波成分（以下、単に「高調波成分」という）の結合が発生して高周波回路の不安定動作の要因となる虞がある。例えば、ＦＥＴを用いた増幅器のドレインバイアス回路に基本波成分および高調波成分が漏洩し、ゲートバイアス回路に結合すると、ドレインバイアス回路とゲートバイアス回路との間で帰還ループが形成され、ループ発振が発生する要因となる。したがって、実施の形態１では、例えばＦＥＴのドレインバイアス回路およびゲートバイアス回路に適用した場合でも、ゲートおよびドレイン間において互いの基本波成分および高調波成分の漏洩を防止する構成とする。
【００１３】
図１は、実施の形態１にかかる高周波遮断回路の一例を示す図である。まず、実施の形態１にかかる高周波遮断回路の構成について、図１を参照して説明する。図１において、高周波遮断回路１００は、基本波成分において１／２波長の長さで特性インピーダンスＺ０となる伝送線路３および伝送線路４が近接して平行配置され、結合線路３０が形成される。各伝送線路３，４の各端部（両端部）には、基本波成分において１／４波長の長さのオープンスタブ５，６，７，８が接続される。なお、伝送線路３，４およびオープンスタブ５，６，７，８は、誘電体基板（図示せず）上において、マイクロストリップ線路導体で形成することができる。
【００１４】
このように構成された高周波遮断回路１００において、伝送線路３とオープンスタブ５との接合部を入力端１、伝送線路４とオープンスタブ７との接合部を入力端２、伝送線路３とオープンスタブ６との接合部を入力端９、伝送線路４とオープンスタブ８との接合部を入力端１０としている。また、結合線路３０は、方向性結合器として作用する。
【００１５】
つぎに、高周波遮断回路１００の機能動作について、図１を参照して説明する。ここでは、入力端１に接続された高周波回路（図示せず）において、基本波成分、１／（２Ｎ）波長（Ｎは１以上の整数）の高調波成分（以下、「偶高調波成分」という）、および１／（２Ｎ＋１）波長の高調波成分（以下、「奇高調波成分」という）を含む信号を扱っている場合の、入力端１から各入力端２，９，１０への漏洩防止機能について説明する。
【００１６】
まず、基本波成分および奇高調波成分の漏洩防止機能について説明する。基本波成分および奇高調波成分において、伝送線路３とオープンスタブ５との接合部が接地点と見做せるので、入力端１に接続された高周波回路（図示せず）に全反射される。しかしながら、伝送線路３とオープンスタブ５との接合部を理想的な接地とすることは困難であるので、実際には全反射されず、基本波成分および奇高調波成分の一部は伝送線路３に伝搬する。
【００１７】
伝送線路３に伝搬した基本波成分および奇高調波成分は、基本波成分は基本波の２倍の波長の信号の２倍波と見做せ、奇高調波成分は基本波の２倍の波長の信号の２（２Ｎ＋１）倍波（Ｎは１以上の整数）と見做せるので、結合線路３０が偶奇モードの電気長が一致する理想的な方向性結合器として作用する場合には、伝送線路３と伝送線路４との間において結合は発生しないが、伝送線路３，４を理想的な方向性結合器とすることは困難であるので、実際には基本波成分および奇高調波成分の一部は結合し、伝送線路４に伝搬する。
【００１８】
伝送線路４に伝搬した基本波成分および奇高調波成分は、伝送線路４とオープンスタブ７との接合部が接地点と見做せるので、伝送線路４側に全反射される。しかしながら、伝送線路４とオープンスタブ７との接合部を理想的な接地とすることは困難であるので、実際には全反射されず、基本波成分および奇高調波成分の一部は入力端２に伝搬する。
【００１９】
すなわち、基本波成分および奇高調波成分が入力端１から入力端２へ伝搬する過程において、伝送線路３とオープンスタブ５との接合部、方向性結合器として作用する結合線路３０、伝送線路４とオープンスタブ７との接合部を通過することによって、段階的に入力端１から入力端２へ伝搬する基本波成分および奇高調波成分を減衰させることができる。
【００２０】
また、伝送線路３に伝搬した基本波成分および奇高調波成分は、伝送線路３とオープンスタブ６との接合部が接地点と見做せるので、伝送線路３側に全反射される。しかしながら、伝送線路３とオープンスタブ６との接合部を理想的な接地とすることは困難であるので、実際には全反射されず、基本波成分および奇高調波成分の一部は入力端９に伝搬する。
【００２１】
すなわち、基本波成分および奇高調波成分が入力端１から入力端９へ伝搬する過程において、伝送線路３とオープンスタブ５との接合部、伝送線路３とオープンスタブ６との接合部を通過することによって、段階的に入力端１から入力端９へ伝搬する基本波成分および奇高調波成分を減衰させることができる。
【００２２】
さらにまた、伝送線路４に伝搬した基本波成分および奇高調波成分は、伝送線路４とオープンスタブ８との接合部が接地点と見做せるので、伝送線路４側に全反射される。しかしながら、伝送線路４とオープンスタブ８との接合部を理想的な接地とすることは困難であるので、実際には全反射されず、基本波成分および奇高調波成分の一部は入力端１０に伝搬する。
【００２３】
すなわち、基本波成分および奇高調波成分が入力端１から入力端１０へ伝搬する過程において、伝送線路３とオープンスタブ５との接合部、方向性結合器として作用する結合線路３０、伝送線路４とオープンスタブ８との接合部を通過することによって、段階的に入力端１から入力端１０へ伝搬する基本波成分および奇高調波成分を減衰させることができる。
【００２４】
つぎに、偶高調波成分の漏洩防止機能について説明する。偶高調波成分は、基本波の２Ｎ倍波（Ｎは１以上の整数）と見做せるので、結合線路３０が理想的な方向性結合器として作用する場合には、伝送線路３と伝送線路４との間において結合は発生しないが、結合線路３０を理想的な方向性結合器とすることは困難であるので、実際には偶高調波成分の一部は結合し、伝送線路４に伝搬する。伝送線路４に伝搬した偶高調波成分は、伝送線路４とオープンスタブ７との接合部を通過して入力端２に伝搬する。
【００２５】
すなわち、偶高調波成分が入力端１から入力端２へ伝搬する過程において、方向性結合器として作用する結合線路３０を通過することによって、入力端１から入力端２へ伝搬する偶高調波成分を減衰させることができる。
【００２６】
また、伝送線路４に伝搬した偶高調波成分は、伝送線路４とオープンスタブ８との接合部を通過して入力端１０に伝搬する。
【００２７】
すなわち、偶高調波成分が入力端１から入力端１０へ伝搬する過程において、方向性結合器として作用する結合線路３０を通過することによって、入力端１から入力端１０へ伝搬する偶高調波成分を減衰させることができる。
【００２８】
一方、偶高調波成分は、伝送線路３とオープンスタブ５との接合部、伝送線路３とオープンスタブ６との接合部を通過し、入力端９に伝搬する。すなわち、入力端１から入力端９に伝搬する偶高調波成分の漏洩防止機能はない。
【００２９】
なお、高周波遮断回路１００は、何れの入力端１，２，９，１０から見ても同一の構成であるため、入力端２から各入力端１，９，１０、入力端９から入力端１，２，１０、および入力端１０から入力端１，２，９への漏洩防止機能についても、入力端１から入力端２，９，１０への漏洩防止機能と同様の動作となる。
【００３０】
以上のように、実施の形態１の高周波遮断回路によれば、基本波成分において１／２波長の長さの２つの伝送線路を平行して配置して結合線路を形成し、結合線路の両端部に、基本波成分において１／４波長の長さのオープンスタブを接続して構成することにより、結合線路とオープンスタブとの接合部前後において基本波成分および奇高調波成分の伝搬を抑制し、方向性結合器として作用する結合線路において基本波成分、奇高調波成分、および偶高調波成分の結合を抑制するようにしたので、結合線路において対向する入力端間の基本波成分、偶高調波成分、および奇高調波成分の漏洩を防止することができる。
【００３１】
したがって、実施の形態１にかかる高周波遮断回路を、例えばＦＥＴを用いた増幅器のゲートバイアス回路、およびドレインバイアス回路に適用することにより、ドレインバイアス回路から基本波成分、偶高調波成分、および奇高調波成分がゲートバイアス回路に結合することによるループ発振を防止することができる。
【００３２】
このように、結合線路において対向する入力端間の基本波成分、偶高調波成分、および奇高調波成分の漏洩を防止することができるので、高周波回路の高密度レイアウトが可能となる。また、高密度レイアウトによる誘電体基板の小型化が可能となる。
【００３３】
実施の形態２．
実施の形態１の高周波遮断回路では、基本波成分において１／２波長の長さの２つの伝送線路を平行して配置して結合線路を形成し、２つの伝送線路の両端部に、それぞれ基本波成分において１／４波長の長さのオープンスタブを接続して構成することにより、伝送線路とオープンスタブとの接合部前後において基本波成分および奇高調波成分の伝搬を抑制し、方向性結合器として作用する結合線路において基本波成分、奇高調波成分、および偶高調波成分の結合を抑制することにより、結合線路において対向する入力端間の基本波成分、偶高調波成分、および奇高調波成分の漏洩を防止する構成としたが、実施の形態２の高周波遮断回路では、各伝送線路に漏れこんだ基本波成分および奇高調波成分を固定抵抗で減衰させることにより、結合線路において対向する入力端間の基本波成分および高調波成分の漏洩防止効果をさらに向上させる構成とする。
【００３４】
図２は、実施の形態２にかかる高周波遮断回路の一例を示す図である。まず、実施の形態２にかかる高周波遮断回路の構成について、図２を参照して説明する。図２において、高周波遮断回路２００は、基本波成分において１／４波長の長さで特性インピーダンスＺ０となる伝送線路１１，１２からなる結合線路４０、基本波成分において１／４波長の長さで特性インピーダンスＺ０となる伝送線路１３，１４からなる結合線路５０、および基本波成分において１／４波長の長さで特性インピーダンスＺ０となる伝送線路１５，１６からなる結合線路６０が形成される。結合線路４０、結合線路５０、および結合線路６０は、直列に接続されて３／４波長の長さの結合線路を形成する。
【００３５】
伝送線路１１と伝送線路１３との接合部、伝送線路１２と伝送線路１４との接合部、伝送線路１３と伝送線路１５との接合部、および伝送線路１４と伝送線路１６との接合部には、それぞれインピーダンスＺ０の固定抵抗１７，１９，２１，２３の一端がそれぞれ接続され、固定抵抗１７，１９，２１，２３の他端には、基本波成分において１／４波長の長さのオープンスタブ１８，２０，２２，２４がそれぞれ接続される。伝送線路１１，１２，１５，１６の他端には、基本波成分において１／４波長の長さのオープンスタブ５，６，７，８がそれぞれ接続される。なお、伝送線路１１，１２，１３，１４，１５，１６およびオープンスタブ５，６，７，８，１８，２０，２２，２４は、誘電体基板（図示せず）上において、マイクロストリップ線路導体で形成することができる。
【００３６】
このように構成された高周波遮断回路２００において、伝送線路１１とオープンスタブ５との接合部を入力端１、伝送線路１２とオープンスタブ７との接合部を入力端２、伝送線路１５とオープンスタブ６との接合部を入力端９、伝送線路１６とオープンスタブ８との接合部を入力端１０としている。また、結合線路４０、結合線路５０、および結合線路６０は、それぞれ方向性結合器として作用する。
【００３７】
つぎに、高周波遮断回路２００の機能動作について、図２を参照して説明する。ここでは、入力端１に接続された高周波回路（図示せず）において、基本波成分、１／（２Ｎ）波長（Ｎは１以上の整数）の偶高調波成分、および１／（２Ｎ＋１）波長の奇高調波成分を含む信号を扱っている場合の、入力端１から各入力端２，９，１０への漏洩防止機能について説明する。
【００３８】
まず、基本波成分および奇高調波成分の漏洩防止機能について説明する。基本波成分および奇高調波成分において、伝送線路１１とオープンスタブ５との接合部が接地点と見做せるので、入力端１に接続された高周波回路（図示せず）に全反射される。しかしながら、伝送線路１１とオープンスタブ５との接合部を理想的な接地とすることは困難であるので、実際には全反射されず、基本波成分および奇高調波成分の一部は伝送線路１１に伝搬する。
【００３９】
伝送線路１１に伝搬した基本波成分および奇高調波成分は、伝送線路１２に結合して基本波成分および奇高調波成分の一部が伝送線路１２に伝搬し、基本波成分および奇高調波成分の一部が伝送線路１３に伝搬する。ここで、伝送線路１１に伝搬した基本波成分および奇高調波成分に対して、固定抵抗１７とオープンスタブ１８との接合部が接地点と見做せるため、基本波成分および奇高調波成分のエネルギーの一部が固定抵抗１７で終端される。したがって、伝送線路１３に伝搬する基本波成分および奇高調波成分のエネルギーが減衰する。また、固定抵抗１７とオープンスタブ１８との接合部で反射される基本波成分および奇高調波成分のエネルギーも小さくなるため、伝送線路１２に伝搬する基本波成分および奇高調波成分のエネルギーも減衰する。
【００４０】
伝送線路１２に伝搬した基本波成分および奇高調波成分は、伝送線路１２とオープンスタブ７との接合部が接地点と見做せるので、伝送線路１２側に全反射される。しかしながら、伝送線路１２とオープンスタブ７との接合部を理想的な接地とすることは困難であるので、実際には全反射されず、基本波成分および奇高調波成分の一部は入力端２に伝搬する。
【００４１】
一方、伝送線路１３に伝搬した基本波成分および奇高調波成分は、伝送線路１４に結合して基本波成分および奇高調波成分の一部が伝送線路１４に伝搬する。ここで、伝送線路１４に伝搬した基本波成分および奇高調波成分に対して、伝送線路１４と固定抵抗１９との接合部から見て伝送線路１２とオープンスタブ７との接合部が接地点と見做せ、伝送線路１２はショートスタブとして作用するため、伝送線路１２が開放に見える。また、伝送線路１４に伝搬した基本波成分および奇高調波成分に対して、固定抵抗１９とオープンスタブ２０との接合部が接地点と見做せる。したがって、伝送線路１４に伝搬した基本波成分および奇高調波成分は、固定抵抗１９で終端され、入力端２に伝搬する。
【００４２】
すなわち、基本波成分および奇高調波成分が入力端１から入力端２に伝搬する過程において、入力端１に漏れこんだ基本波成分および奇高調波成分のエネルギーの大半が固定抵抗１７，１９によって終端されることによって、入力端１から入力端２に伝搬する基本波成分および奇高調波成分を減衰させることができる。
【００４３】
また、伝送線路１３に伝搬した基本波成分および奇高調波成分に対して、伝送線路１３と固定抵抗２１との接合部から見て伝送線路１５とオープンスタブ６との接合部が接地点と見做せ、伝送線路１５はショートスタブとして作用するため、伝送線路１５が開放に見える。また、伝送線路１３に伝搬した基本波成分および奇高調波成分に対して、固定抵抗２１とオープンスタブ２２との接合部が接地点と見做せる。したがって、伝送線路１３に伝搬した基本波成分および奇高調波成分は、固定抵抗２１で終端され、入力端９に伝搬する。
【００４４】
すなわち、基本波成分および奇高調波成分が入力端１から入力端９に伝搬する過程において、入力端１に漏れこんだ基本波成分および奇高調波成分のエネルギーの大半が固定抵抗１７，２１によって終端されることによって、入力端１から入力端９に伝搬する基本波成分および奇高調波成分を減衰させることができる。
【００４５】
同様に、伝送線路１４に伝搬した基本波成分および奇高調波成分に対して、伝送線路１４と固定抵抗２３との接合部から見て伝送線路１６とオープンスタブ８との接合部が接地点と見做せ、伝送線路１６はショートスタブとして作用するため、伝送線路１６が開放に見える。また、伝送線路１４に伝搬した基本波成分および奇高調波成分に対して、固定抵抗２３とオープンスタブ２４との接合部が接地点と見做せる。したがって、伝送線路１４に伝搬した基本波成分および奇高調波成分は、固定抵抗２３で終端され、入力端１０に伝搬する。
【００４６】
すなわち、基本波成分および奇高調波成分が入力端１から入力端１０に伝搬する過程において、入力端１に漏れこんだ基本波成分および奇高調波成分のエネルギーの大半が固定抵抗１７，２３によって終端されることによって、入力端１から入力端１０に伝搬する基本波成分および奇高調波成分を減衰させることができる。
【００４７】
つぎに、偶高調波成分の漏洩防止機能について説明する。偶高調波成分は、伝送線路１１とオープンスタブ５との接合部を通過して伝送線路１１に伝搬し、伝送線路１１と伝送線路１３との接合部を通過して伝送線路１３に伝搬し、伝送線路１３と伝送線路１５との接合部を通過して伝送線路１５に伝搬する。
【００４８】
偶高調波成分に対して、結合線路４０、結合線路５０、および結合線路６０が理想的な方向性結合器として作用する場合には、伝送線路１１と伝送線路１２との間、伝送線路１３と伝送線路１４との間、伝送線路１５と伝送線路１６との間において結合は発生しないが、結合線路４０、結合線路５０、および結合線路６０を理想的な方向性結合器とすることは困難であるので、実際には偶高調波成分の一部は伝送線路１１から伝送線路１２に結合して伝送線路１２に伝搬し、伝送線路１３から伝送線路１４に結合して伝送線路１４に伝搬し、伝送線路１５から伝送線路１６に結合して伝送線路１６に伝搬する。伝送線路１２、伝送線路１４および伝送線路１６に伝搬した偶高調波成分は、伝送線路１６と伝送線路１４との接合部、伝送線路１４と伝送線路１２との接合部、およびオープンスタブ７との接合部を通過して入力端２に伝搬する。
【００４９】
すなわち、偶高調波成分が入力端１から入力端２へ伝搬する過程において、方向性結合器として作用する結合線路４０、結合線路５０、結合線路６０を通過することによって、入力端１から入力端２へ伝搬する偶高調波成分を減衰させることができる。
【００５０】
また、伝送線路１２、伝送線路１４および伝送線路１６に伝搬した偶高調波成分は、伝送線路１２と伝送線路１４との接合部、伝送線路１４と伝送線路１６との接合部、およびオープンスタブ８との接合部を通過して入力端１０に伝搬する。
【００５１】
すなわち、偶高調波成分が入力端１から入力端１０へ伝搬する過程において、方向性結合器として作用する結合線路４０、結合線路５０、結合線路６０を通過することによって、入力端１から入力端１０へ伝搬する偶高調波成分を減衰させることができる。
【００５２】
一方、偶高調波成分は、伝送線路１１とオープンスタブ５との接合部、伝送線路１１と伝送線路１３との接合部、伝送線路１３と伝送線路１５との接合部、および伝送線路１５とオープンスタブ６との接合部を通過し、入力端９に伝搬する。すなわち、入力端１から入力端９に伝搬する偶高調波成分の漏洩防止機能はない。
【００５３】
なお、高周波遮断回路２００は、何れの入力端１，２，９，１０から見ても同一の構成であるため、入力端２から各入力端１，９，１０、入力端９から入力端１，２，１０、および入力端１０から入力端１，２，９への漏洩防止機能についても、入力端１から入力端２，９，１０への漏洩防止機能と同様の動作となる。
【００５４】
以上のように、実施の形態２の高周波遮断回路によれば、基本波成分において１／４波長の長さの２つの伝送線路からなる３つの結合線路を直列に接続して３／４波長の長さの結合線路を形成し、各伝送線路の接合部に固定抵抗を接続し、その固定抵抗の他端に基本波成分において１／４波長の長さのオープンスタブを接続し、３つの結合線路を直列に接続した３／４波長の長さの結合線路の両端部に基本波成分において１／４波長の長さのオープンスタブを接続して構成することにより、伝送線路とオープンスタブとの接合部前後において基本波成分および奇高調波成分の伝搬を抑制し、方向性結合器として作用する結合線路において偶高調波成分の結合を抑制し、さらに固定抵抗によって基本波成分および奇高調波成分を減衰させるようにしたので、実施の形態１に対して、結合線路において対向する入力端間の基本波成分および奇高調波成分の漏洩防止効果をさらに向上させることができる。
【００５５】
したがって、実施の形態２にかかる高周波遮断回路を、例えばＦＥＴを用いた増幅器のゲートバイアス回路、およびドレインバイアス回路に適用することにより、ドレインバイアス回路から基本波成分、偶高調波成分、および奇高調波成分がゲートバイアス回路に結合することによるループ発振を防止することができる。
【００５６】
このように、結合線路において対向する入力端間の基本波成分、偶高調波成分、および奇高調波成分の漏洩を防止することができるので、高周波回路の高密度レイアウトが可能となる。また、高密度レイアウトによる誘電体基板の小型化が可能となる。
【００５７】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【００５８】
また、実施の形態では、ＦＥＴを用いた増幅器のゲートバイアス回路、およびドレインバイアス回路を対象として発明内容の説明をしているが、適用分野はこれに限られるものではなく、種々のマイクロ波回路、ミリ波回路等の高周波回路への応用が可能であることは言うまでもない。
【産業上の利用可能性】
【００５９】
以上のように、本発明にかかる高周波遮断回路は、高周波回路の高密度レイアウトを可能とすることができる発明として有用であり、特に、伝送線路の入力端間において高周波回路を伝搬する基本波成分、および高調波成分の漏洩を防止する場合に適している。
【符号の説明】
【００６０】
１      入力端
２      入力端
３      伝送線路
４      伝送線路
５      オープンスタブ
６      オープンスタブ
７      オープンスタブ
８      オープンスタブ
９      入力端
１０    入力端
１１    伝送線路
１２    伝送線路
１３    伝送線路
１４    伝送線路
１５    伝送線路
１６    伝送線路
１７    固定抵抗
１８    オープンスタブ
１９    固定抵抗
２０    オープンスタブ
２１    固定抵抗
２２    オープンスタブ
２３    固定抵抗
２４    オープンスタブ
３０    結合線路
４０    結合線路
５０    結合線路
６０    結合線路
１００  高周波遮断回路
２００  高周波遮断回路
【図１】
2010245971.tif 000003
【図２】
2010245971.tif 000004